(57)【特許請求の範囲】
【請求項１】
処理装置が、
当該処理装置にネットワークを介して接続された配信装置から、商用電力の供給量の限度に関する供給量情報と、過去の時間における前記商用電力の消費量に関する消費量情報とを受信することと、
受信された前記消費量情報に基づいて、前記過去の時間の後の時間での、前記商用電力の消費量の予測値に関する予測情報を生成することと、
受信された前記供給量情報と生成された前記予測情報とに応じた電力情報を、電子機器からの通知を受けた場合に送信することと、
前記電子機器が、
前記配信装置から前記供給量情報と前記消費量情報とを受信することと、
前記配信装置から、所定フォーマットの前記供給量情報と前記消費量情報とを受信できなかった場合に前記処理装置に前記通知を行うことと、
前記処理装置から送信された前記電力情報を受信することと、
受信された前記電力情報に応じて商用電源とバッテリ電源とを切り替えて、自機器を駆動させることと
を備える電源制御方法。
【請求項２】
前記処理装置が、
前記電子機器の対応するフォーマットに関するフォーマット情報を記憶することと、
記憶された前記フォーマットで前記電力情報を生成することと、
生成された前記電力情報を前記電子機器に送信すること
を更に備える、請求項１記載の電源制御方法。
【請求項３】
前記処理装置が、
受信された前記供給量情報と生成された前記予測情報とに応じた、前記電子機器に駆動電源の制御を指示する前記電力情報を送信することと、
前記電子機器が、
前記処理装置から送信された前記電力情報に含まれる指示に応じた電源で自機器を駆動させること
を更に備える、請求項２記載の電源制御方法。
【請求項４】
前記処理装置が、
受信された前記供給量情報と生成された前記予測情報とを含む前記電力情報を生成することと、
前記電子機器が、
前記処理装置から送信された前記電力情報に含まれる前記供給量情報と前記予測情報とに応じた電源で自装置を駆動させること
を備える、請求項２記載の電源制御方法。
【請求項５】
前記処理装置が、
過去の時間における前記商用電力の所定時間毎の消費量に関する前記消費量情報を受信することと、
受信された前記消費量情報に基づいて、前記所定時間よりも短い時間区間毎の予測値に関する前記予測情報を生成すること
を更に備える、請求項１記載の電源制御方法。
【請求項６】
前記処理装置が、
ユーザからの操作入力を受けることと、
前記操作入力を受けた場合に、前記配信装置から前記供給量情報と前記消費量情報とを受信することと、
受信された前記消費量情報に基づいて、前記予測情報を生成することと、
受信された前記供給量情報と生成された前記予測情報とに応じた前記電力情報を前記電子機器に送信することと
を備える、請求項１記載の電源制御方法。
【請求項７】
前記電子機器が、
受信された前記電力情報に応じて、現在の商用電力の消費量に関する通知画面を表示すること
を更に備える、請求項１記載の電源制御方法。
【請求項８】
バッテリ電源及び商用電源からの電力が入力される入力手段と、
商用電力の供給量の限度に関する供給量情報と、過去の時間における前記商用電力の消費量に関する消費量情報とを、ネットワークを介して接続されたサーバ装置から受信する受信手段と、
受信された前記消費量情報に基づいて、前記過去の時間の後の時間での、前記商用電力の消費量の予測値に関する予測情報を生成する生成手段と、
受信された前記供給量情報と、生成された前記予測情報とに応じて、前記入力手段に入力される前記商用電源の電力と前記バッテリ電源の電力とを切り替えて自機器の駆動電力として用いる電源制御手段と、
前記受信手段が、所定フォーマットの前記供給量情報と前記消費量情報とを受信できなかった場合に、ネットワークを介して接続された処理装置に通知する通知手段と、
を備え、
前記受信手段は、前記処理装置から前記通知に応じて送信された、商用電力の供給量の限度と消費量に関する所定フォーマットの電力情報を受信し、
前記電源制御手段は、前記電力情報に応じて前記商用電源とバッテリ電源とを切り替える電子機器。
【請求項９】
処理装置と電子機器とを含む電源制御システムであって、
前記処理装置が、
当該処理装置にネットワークを介して接続された配信装置から、商用電力の供給量の限度に関する供給量情報と、過去の時間における前記商用電力の消費量に関する消費量情報とを受信する第１の受信手段と、
受信された前記消費量情報に基づいて、前記過去の時間の後の時間での、前記商用電力の消費量の予測値に関する予測情報を生成する生成手段と、
受信された前記供給量情報と生成された前記予測情報とに応じた電力情報を、前記電子機器からの通知を受けた場合に送信する送信手段と、
を備え、
前記電子機器が、
前記配信装置から前記供給量情報と前記消費量情報とを受信する第２の受信手段と、
前記配信装置から、所定フォーマットの前記供給量情報と前記消費量情報とを受信できなかった場合に前記処理装置に前記通知を行う通知手段と、
前記処理装置から送信された前記電力情報を受信する第３の受信手段と、
受信された前記電力情報に応じて商用電源とバッテリ電源とを切り替えて、自機器を駆動させる制御手段と
を備える電源制御システム。
【発明の詳細な説明】
【技術分野】
【０００１】
本発明の実施形態は、電源制御方法及び電子機器に関する。
【背景技術】
【０００２】
電力会社が供給する商用電力の電力量に対して電力消費（電力需要）が大きくなる場合に、電力を消費する電子機器の動作を制御して、商用電力の消費を抑制する技術がある。
【先行技術文献】
【特許文献】
【０００３】
【特許文献１】特開２００７−３３６７９６号公報
【発明の概要】
【発明が解決しようとする課題】
【０００４】
電子機器が消費する商用電力の量を抑制する場合には、電力会社が供給するエリアにおける電力消費に鑑みた好適な時間に当該抑制を行えることが好ましい。
そこで本発明の実施形態は、好適な時間に商用電力に対する電力消費を抑制することができる電源制御方法及び電子機器の提供を目的とする。
【課題を解決するための手段】
【０００５】
上記の課題を解決するために、本実施形態の電源制御方法は、商用電力の供給量の限度に関する供給量情報と、過去の時間における前記商用電力の消費量に関する消費量情報とを受信することと、受信された前記消費量情報に基づいて、前記過去の時間の後の時間での消費量の予測値に関する予測情報を生成することと、受信された前記供給量情報と生成された前記予測情報とに応じて、商用電源とバッテリ電源とを切り替えて電子機器を駆動させることを備える。
【図面の簡単な説明】
【０００６】
【図１】実施形態の制御システムの利用形態例を示す図。
【図２】実施形態の配信サーバ、処理サーバ、携帯端末及び表示装置のシステム構成例を示す図。
【図３】実施形態に係る処理サーバ、携帯端末及び表示装置が処理する電力情報の構成例を示す図。
【図４】実施形態の表示装置における電源切替及び動作モード切替の例を示す図。
【図５】実施形態の表示装置が表示する画面例を示す図。
【図６】実施形態の処理サーバ及び表示装置による、電源制御に係る処理フロー例を示す図。
【図７】実施形態の表示装置による電源制御に係る処理フロー例を示す図。
【図８】実施形態の携帯端末及び表示装置による、電源制御に係る処理フロー例を示す図。
【発明を実施するための形態】
【０００７】
以下、図面を参照して実施形態を説明する。
図１は本実施形態に係る電源制御システムの構成例を示す図である。本システムは、例えば配信サーバ１００、処理サーバ２００、携帯端末３００、表示装置４００、インターネット５００、ホームネットワーク６００等を備える。ここで配信サーバ１００、処理サーバ２００、ホームネットワーク６００はインターネット５００に接続されている。また、携帯端末３００及び表示装置４００は、ホームネットワーク６００に接続されている。
【０００８】
配信サーバ１００は、例えば所定の電力会社が供給する商用電力についての電力情報を所定のフォーマットでインターネット５００に公開する。ここで電力情報とは、電力会社が供給可能な電力量の最大値（限度値）に関する供給量情報や、当該電力会社管内における当日の電力使用量（消費量）の実績値、同管内での前日の電力使用量（消費量）の実績値、及び同管内での昨年同日の電力使用量（消費量）の実績値等を含む。即ち電力情報は、電力供給可能量の値と、過去の時間における電力使用量の値とを含む。ここで、当日、前日及び昨年同日の電力使用量の実績値は例えば１時間毎の値となっており、また当日の電力使用量の実績値は、例えば１時間毎に更新されて公開される。そして、配信サーバ１００は、処理サーバ２００や表示装置４００からの要求に応じて、電力情報をこれらの装置に送信する（Ｓ１，Ｓ２）。なお配信サーバ１００は、携帯端末３００からの要求に応じて当該携帯端末３００に電力情報を送信してもよい。
【０００９】
処理サーバ２００は、配信サーバ１００が公開する電力情報を取得し（Ｓ２）、当該電力情報に基づいて現在の時間における電力使用量の予測値を算出する。そして処理サーバ２００は、算出した予測値を含む、表示装置４００が対応する所定フォーマットの電力情報を生成し、当該電力情報を表示装置４００に送信する（Ｓ３）。
【００１０】
表示装置４００は、配信サーバ１００及び又は処理サーバ２００から電力情報を取得する。そして表示装置４００は、配信サーバ１００から電力情報を取得した場合は（Ｓ１）、処理サーバ２００と同様に、当該電力情報を用いて現在の時間における電力使用量の予測値を算出する。また表示装置４００は、配信サーバ１００から電力情報を取得できない場合に処理サーバ２００から電力情報を取得するようにしても良いし、あるいは初期設定として処理サーバ２００から優先的に電力情報を取得するようにしても良い（Ｓ３）。
【００１１】
そして表示装置４００は、取得した電力情報に基づいて、自装置の電源切替制御及び動作モード制御等を行う。即ち、表示装置４００は、取得した電力情報に基づき、現在の時間における電力供給量と電力消費量に応じた電源切替制御及び動作モード制御を行う。ここで表示装置４００は、例えば電力供給量に対する電力消費量の割合に応じて、電源切替と動作モードとを制御する。つまり表示装置４００は、処理サーバ２００又は表示装置４００により算出された現在の電力消費量の予測値が、電力供給量に対して一定以上の割合となっている場合、自機器の駆動電力を商用電源の電力からバッテリ電源の電力に切り替える制御や、自機器の表示部の輝度を抑える等の制御を行う。
【００１２】
なお図１のシステムにおいては、携帯端末３００が、配信サーバ１００や処理サーバ２００から電力情報を取得してもよい（携帯端末３００への電力情報のデータ経路は不図示）。ここで携帯端末３００は、配信サーバ１００から電力情報を取得した場合は、当該電力情報に基づいて現在の時間における電力使用量の予測値を算出する。そして携帯端末３００は、処理サーバ２００又は携帯端末３００により算出された現在の電力消費量の予測値と、取得した電力情報に含まれる電力供給量とに応じた制御コマンドを生成する。ここで当該制御コマンドは、表示装置４００に対して電源と動作モードを切り替える指示を含む。即ち、携帯端末３００は、処理サーバ２００又は携帯端末３００により算出された現在の電力消費量の予測値が、電力供給量に対して一定以上の割合となっている場合、表示装置４００の駆動電力を商用電力からバッテリに切り替える制御や、自機器の表示部の輝度を抑える等の制御を指示するコマンドを生成し、当該コマンドを表示装置４００に送信する。
【００１３】
なお当該実施形態において、処理サーバ２００、携帯端末３００及び表示装置４００は、配信サーバ１００から電力情報を取得できない場合がある。これは、例えば配信サーバ１００における電力情報の更新が何らかの理由により停止する場合や、配信サーバ１００から処理サーバ２００、携帯端末３００及び表示装置４００への通信経路が停電により遮断されている場合等があるためである。また、配信サーバ１００が公開する電力情報のフォーマットが変更された場合に、表示装置４００や携帯端末３００が当該フォーマットの電力情報を処理できない場合がある。このような場合であっても当該実施形態においては、処理サーバ２００が配信サーバ１００から過去に取得したデータに基づいて現在の電力使用量の予測値を算出し、当該予測値を含む電力情報を、携帯端末３００や表示装置４００が対応するフォーマットでこれら装置に送信することができる。
【００１４】
次に図２を参照して、配信サーバ１００、処理サーバ２００、携帯端末３００、表示装置４００のシステム構成例を説明する。
配信サーバ１００は、入力部１０１、記憶部１０２及び通信部１０３等を備える。ここで入力部１０１には、電力情報が入力される。即ち入力部１０１には、電力会社が供給可能な電力量の最大値に関する供給量情報や、前日の電力使用量の実績値、及び昨年同日の電力使用量の実績値等が入力される。そしてこれらの情報は、例えば１日毎に入力される。また前日及び昨年同日の電力使用量の実績値は例えば１時間毎の値となっている。また入力部１０１には、当日の電力使用量の１時間毎の実績値が例えば１時間毎に入力される。
【００１５】
記憶部１０２は、入力部１０１に入力された電力情報を格納する。そして記憶部１０２は、入力部１０１に新たな情報が入力されると、当該情報を反映した形式で電力情報を格納する。そして通信部１０３は、処理サーバ２００、携帯端末３００、及び表示装置４００等から電力情報の要求を受けると、要求を送信した装置に対して記憶部１０２に格納された電力情報を送信する。
【００１６】
次に処理サーバ２００のシステム構成例を説明する。処理サーバ２００は、通信部２０１、記憶部２０２、及び処理部２０３等を備える。通信部２０１は、配信サーバ１００が公開する電力情報を取得する。なお通信部２０１は、例えば１０分毎等の所定時間毎に電力情報を取得するが、配信サーバ１００が電力情報を更新・公開する時間が不確定である場合には、数秒毎のようになるべく短い期間毎に取得処理を実行できることが好ましい。なお通信部２０１は、電力会社が電力を供給する地域における電力使用量の予測に用いることができる情報を、例えばインターネット上の他のサーバから取得してもよい。ここで、電力使用量の予測に用いることができる情報とは、例えば過去の天気や当日の天気予報の情報（気温、日照量、降水量、湿度等）等である。
【００１７】
記憶部２０２は、通信部２０１が取得した電力情報等の情報を格納する。処理部２０３は、記憶部２０２に格納された情報に基づいて、現在や将来の電力使用量の予測値を算出する。そして処理部２０３は、算出した予測値を含む電力情報を生成し、当該電力情報を記憶部２０２に記憶させる。なお処理部２０３は、夫々異なるフォーマットの複数の電力情報を生成してもよい。
【００１８】
そして通信部２０１は、携帯端末３００や表示装置４００からの電力情報要求を受けると、生成した予測値を含む電力情報を含む応答を送信する。なお通信部２０１は、携帯端末３００や表示装置４００から、これら装置の装置識別子やこれら装置が対応する電力情報のフォーマットの情報を含む電力情報要求を受信しても良い。そしてこの場合に通信部２０１は、記憶部２０２に記憶された複数の電力情報のうち、電力情報要求に含まれる装置識別子やフォーマット情報に応じたフォーマットの電力情報を送信してもよい。
【００１９】
つまり処理サーバ２００は、装置識別子と、当該装置識別子が示す装置が対応するフォーマットを対応付けて記憶部２０２に記憶させておき、電力情報要求に装置識別子が含まれる場合は、当該識別子に対応付けられたフォーマットで電力情報を送信する。なお処理サーバ２００は、装置識別子、及び当該装置識別子が示す装置が対応するフォーマットについての情報を様々な方法で取得する。サーバ装置は、例えばネットワーク上のサーバ装置からフォーマット情報を受信してもよい。あるいはサーバ装置２００にユーザ操作等によりフォーマット情報が入力されてもよい。
【００２０】
一方電力情報要求にフォーマットについての情報が含まれる場合、サーバ装置２００は、当該情報をメモリ（記憶部２０２等）に一時記憶させ、当該記憶させたフォーマット情報の電力情報を送信する。いずれにせよサーバ装置２００は、自装置が取得して記憶したフォーマット情報に基づいた電力情報を送信する。
【００２１】
次に携帯端末３００のシステム構成例を説明する。携帯端末３００は、操作受付部３０１、通信部３０２、記憶部３０３、処理部３０４等を備える。
操作受付部３０１は、例えば筐体に設けられたボタンやタッチパネル、タッチパッド等であり、ユーザからの操作入力を受け付ける。ここで操作受付部３０１は、例えば電力情報の取得を指示する操作を受け付ける。そして操作受付部３０１は、電力情報取得の指示を受けると、通信部３０２に電力情報の取得を指示する。
【００２２】
通信部３０２は、操作受付部３０１からの指示に応じて電力情報を取得する。なお通信部３０２は、配信サーバ１００及び又は処理サーバ２００に対して電力情報を要求して電力情報を取得する。また通信部３０２は、電力情報を取得する際に、携帯端末３００の装置識別子や当該携帯端末３００が対応するフォーマットの情報を含む電力情報要求を送信してもよい。
【００２３】
記憶部３０３は、通信部３０２が取得した電力情報を格納する。そして処理部３０４は、通信部３０２が配信サーバ１００から電力情報を取得した場合、当該電力情報に基づき現在や将来の電力使用量の予測値を算出する。そして処理部３０４は、算出した予測値を含む電力情報を生成し、当該電力情報を記憶部３０３に格納させる。ここで処理部３０４は、例えば予め表示装置４００が対応する電力情報のフォーマットの情報を取得し、当該フォーマットの電力情報を生成する。なお処理部３０４は、処理サーバ２００から取得した電力情報が表示装置４００に対応していないフォーマットの場合にも、当該電力情報から表示装置４００用のフォーマットの電力情報を生成して記憶部３０３に格納される。
【００２４】
また処理部３０４は、算出された予測値と、取得した供給量情報とに基づいて、表示装置４００の制御コマンドを生成し、当該制御コマンドを記憶部３０３に記憶させても良い。当該制御コマンドは図３及び図４を参照して後述する。
【００２５】
そして通信部３０２は、記憶部３０３に格納された電力情報、又は制御コマンドを表示装置４００に送信する。つまり携帯端末３００は、ユーザからの操作入力を受けると電力情報を取得し、当該電力情報から必要に応じて新たな電力情報を生成し、取得した電力情報又は生成した電力情報又は制御コマンドを表示装置４００に送信する。
【００２６】
次に表示装置４００のシステム構成例を説明する。表示装置４００は、通信部４０１、記憶部４０２、処理部４０３、制御部４０４、電力供給部４０５、ＡＣアダプタ４０６、プラグ４０７、バッテリ４０８、チューナ４０９、デコード部４１０、ＧＵＩ生成部４１１、信号処理部４１２、表示部４１３、バックライト４１４、操作受付部４１５等を備える。
【００２７】
通信部４０１は、配信サーバ１００及び又は処理サーバ２００に電力情報要求を送信し、当該要求に対して送信される電力情報を取得する。なお通信部４０１は、例えば一定期間毎に電力情報要求を送信する。通信部４０１は、電力情報を取得する際に、表示装置４００の装置識別子や当該携帯端末３００が対応するフォーマットの情報を含む電力情報要求を送信してもよい。また通信部４０１は、携帯端末３００から送信された制御コマンドを受信する機能も有する。そして通信部４０１は受信した電力情報や制御コマンドを記憶部４０２に出力する。
【００２８】
記憶部４０２は、通信部４０１から入力された電力情報や制御コマンドを格納する。そして処理部４０３は、通信部４０１が配信サーバ１００から電力情報を取得した場合、当該電力情報に基づき現在や将来の電力使用量の予測値を算出する。そして処理部４０３は、算出した予測値を含む電力情報を生成し、当該電力情報を記憶部４０２に格納させる。
【００２９】
制御部４０４は、記憶部４０２に格納された電力情報又はコマンドに基づいて、表示装置４００の駆動電源の切り替えと動作モードの切り替えとを制御する。制御部４０４は、駆動電源を制御する場合に電力供給部４０５に駆動電源の切り替えを指示する。また動作モードを制御する場合、制御部４０４は例えばバックライト４１４に対して省電力モードでの動作を指示し、当該バックライト４１４の照明を抑制させる。更に制御部４０４は、記憶部４０２に格納された電力情報やコマンドに応じた通知画面の生成をＧＵＩ生成部４１１に指示する。
【００３０】
電力供給部４０５は、ＡＣアダプタ４０６やバッテリ４０８から入力される電力を表示装置４００の各構成に供給する機能を有する。ここで電力供給部４０５は、ＡＣアダプタ４０６及びバッテリ４０８のうち制御部４０４からの指示に従ったモジュールからの電力を駆動電力として使用する。
【００３１】
ＡＣアダプタ４０６には電源コードを介してプラグ４０７が接続され、商用電力からの電力が入力される。またバッテリ４０８はＡＣアダプタ４０６に入力された電力を充電する機能、及び充電した電力を電力供給部４０５に出力する機能を有する。なおバッテリ４０８は、表示装置４００の筐体内部に収容されていても良いし、あるいは表示装置４００に対して接続された外部バッテリであっても良い。
【００３２】
チューナ４０９は、地上波デジタルやＢＳデジタルの放送波を受信する。なおチューナ４０９は、例えばフルセグメントの放送波を受信するモジュールとワンセグメントの放送波を受信するモジュールの両方を備えていても良い。そしてチューナ４０９は、制御部４０４が省電力モードへの移行を指示した場合に、フルセグメント用の受信モジュールを停止させてワンセグメント用の受信モジュールにより放送波を受信してもよい。そしてデコード部４１０は、チューナ４０９が受信した放送波に含まれる映像データをデコードし、デコードした映像データを信号処理部４１２に出力する。
【００３３】
ＧＵＩ生成部４１１は、制御部４０４からの指示に応じて通知画面を生成し、当該画面の映像データを信号処理部４１２に出力する。
信号処理部４１２は、デコード部４１０やＧＵＩ生成部４１１から入力された映像データを、表示部４１３が表示可能な形式の映像信号に変換して表示部４１３に出力する。そして表示部４１３は、入力された映像信号を用いて映像を表示し、バックライト４１４は表示部４１３を照明する。なおバックライト４１４は、制御部４０４の指示に応じて照明の照度を変える機能を有する。
【００３４】
操作受付部４１５は、ユーザからの操作入力を受け付ける。ここで操作受付部４１５は、例えば表示装置４００の駆動電力の切り替えを指示する操作、動作モードの切り替えを指示する操作、ネットワークに接続された他の電子機器の制御を指示する操作等を受ける。そして操作受付部４１５は当該操作入力を制御部４０４に出力する。
【００３５】
次に図３を参照して、電力情報の構成例を説明する。
図３（Ａ）は、配信サーバ１００が公開する電力情報のデータ構成例を示す図である。配信サーバ１００は電力情報を例えばＣＳＶフォーマットの電力情報テーブルＴ１として公開する。ここで当該テーブルＴ１において、行１には当該テーブルのデータが対象とする年月日が、行２には当該テーブルの更新時間が、行３には電力会社の電力供給の限界の量が、行４には予想される電力使用のピーク時間が格納される。
【００３６】
また行５には行１が示す年月日における時間（時刻）が例えば１時間毎に格納され、行５以下の行においては、行５が示す夫々の時間毎に対応付けられたデータが格納される。行６には昨年の同日における電力使用量の実績値が、行７には前日の電力使用量の実績値が、行８には当日の電力使用量の実績値が格納される。また行９には、当日の電力使用率の実績値が格納される。
【００３７】
なお行８には当日の実績値のうち、配信サーバ１００に入力済みのデータが格納されるため、実績値のデータが更新されていない部分には例えば未更新を示すデータが格納される。行９も同様に、実績値が格納されていない部分には例えば未更新を示すデータが格納される。そして、当日の実績値のデータは例えばリアルタイムで更新されることが好ましいが、場合によっては数時間や数日の間更新されないことも考えられる。
【００３８】
図３（Ｂ）は、配信サーバ１００が配信する、図３（Ａ）とは異なるフォーマットの電力情報のデータ構成例を示す図である。配信サーバ１００は、例えばＸＭＬフォーマットの電力情報を配信する。ここで、範囲１１には当該電力情報のデータが対象とする年月日が、範囲１２には当該電力情報の更新時間が、範囲１３には電力会社の電力供給の限界の量が、範囲１４には、後述する範囲１５乃至１８のデータが対象とする時間が格納される。
【００３９】
範囲１５には昨年の同日における電力使用量の実績値が、範囲１６には前日の電力使用量の実績値が、範囲１７には当日の電力使用量の実績値が、範囲１８には当日の電力使用率の実績値が格納される。そして当日の電力使用量の実績値は、配信サーバ１００に入力済みの時間についてのデータが格納されるため、実績値のデータが更新されていない部分には範囲１９のように例えば０が格納される。
【００４０】
図３（Ｃ）は、処理サーバ２００、携帯端末３００及び表示装置４００が、配信サーバ１００から取得した電力情報に基づいて生成する電力情報のデータ構成例を示す図である。なお当該電力情報データテーブルＴ２は、図３（Ａ）や（Ｂ）の電力情報に基づいて生成したものとする。即ちテーブルＴ２は、１６時以降の当日実績値及び電力使用率が格納されていない電力情報に基づいて生成されたものである。
【００４１】
テーブルＴ２には、例えば行２１に当該テーブルのデータが対象とする年月日が、行２２には電力会社の電力供給の限界の量が格納される。また行２３には行２１が示す年月日における時間（時刻）が例えば１時間毎に格納され、行２３以下の行においては、行２３に格納された時間毎にデータが対応付けて格納される。
【００４２】
行２４には、電力使用量の当日実績値及び、電力使用量の予想値が格納される。つまり、図３（Ａ）や（Ｂ）の電力情報には１６時以降の時間帯における電力使用量の実績値は含まれていないが、処理サーバ２００、携帯端末３００及び表示装置４００は、当該１６時以降の電力使用量の予測値を、当該１６時よりも前の時間における電力使用量の実績値に基づいて算出する。
【００４３】
ここで処理サーバ２００、携帯端末３００及び表示装置４００は、１６時以降の電力使用量予測値を、例えば１６時に隣接する過去の時間の実績値を用いて算出する。処理サーバ２００は、例えば同日の０時−１５時における実績値の推移の曲線を、例えば線形予測や近似曲線による予測等により１６時以降まで拡張することにより、１６時以降の電力使用量の予測値を算出する。
【００４４】
あるいは処理サーバ２００、携帯端末３００及び表示装置４００は、１６時以降の電力使用量予測値を、例えば前日や昨年同日の同時刻における実績値を用いて算出してもよい。そしてこの場合に処理サーバ２００、携帯端末３００及び表示装置４００は、前日や昨年の同時刻における実績値に対して所定の補正をかけることにより、当日の電力使用量の予測値を算出する。なおここで補正とは、例えば前日や昨年同日と当日との天気（気温、日照量、降水量、湿度等）を比較し、天気に応じた補正値を加算及び乗算すること等である。また、同じ時間帯であっても曜日により電力使用量の実績値が異なる恐れがあるので、昨年同日付近の、当日と同じ曜日の実績値を用いて予測値を算出してもよい。いずれにせよ処理サーバ２００は、過去の電力使用量の値を用いて、現在時刻が含まれる時間区間および将来の時間区間夫々の電力使用量と電力使用率との予測値を算出する。
【００４５】
なお図３（Ｃ）の例では、１時間毎に区切られた時間区間毎に電力使用量及び使用率の予測値が格納されているが、処理サーバ２００、携帯端末３００及び表示装置４００は、例えば１０分毎に区切られた時間区間毎に電力使用量及び使用率の予測値が格納してもよい。つまり、処理サーバ２００、携帯端末３００及び表示装置４００は、配信サーバ１００が公開する電力情報において夫々の実績値が対応付けられている時間区間よりも短い時間区間毎に電力使用量及び使用率の予測値を算出し、テーブルに格納してもよい。
【００４６】
また、処理サーバ２００、及び携帯端末３００は、配信サーバ１００から取得した電力情報を用いて電力情報を生成すると、当該生成した電力情報を表示装置４００が対応するフォーマットで格納し、表示装置４００に対して当該電力情報を送信する。
【００４７】
これにより、配信サーバ１００が公開する電力情報のフォーマットが変更され、当該変更されたフォーマットに表示装置４００が対応していない場合であっても、表示装置４００は処理サーバ２００から電力情報を取得することにより、自装置で電力情報を処理（解釈）することができる。
【００４８】
なお、配信サーバ１００が公開する電力情報のフォーマットが変更される場合としては、例えば以下が想定される。電力情報が例えばＣＳＶフォーマットで公開されていた場合には、データが格納される行や行の項目名が変更される場合がある。また、ＸＭＬフォーマットで公開される場合にも、例えばプレーンテキストで公開されていた情報が、バイナリやＥＸＩ圧縮等の他のフォーマットに変更される場合がある。
【００４９】
次に図４を参照して、表示装置４００による、電源切替の制御及び動作モード切替の処理例を説明する。
表示装置４００の制御部４０４は、電力情報が記憶部４０２に格納されると、現在の時間における電力使用率の情報を抽出し、当該電力使用率に応じた制御を行う。即ち、電力使用率が７０％以下の場合には、駆動電力をＡＣアダプタ４０６から入力するよう電力供給部４０５に指示し、また、バッテリ４０８の充電を許可する。そして制御部４０４は、表示装置４００の各構成に対し、通常モードでの動作を指示する。
【００５０】
また現在の時間の電力使用率が７０−８０％の場合、制御部４０４は、駆動電力をＡＣアダプタ４０６から入力させ、バッテリ４０８の充電を許可する一方で、表示装置４００の各構成に対し、省電力モードでの動作を指示する。
【００５１】
現在の時間の電力使用率が８０−９０％の場合、制御部４０４は、駆動電力をＡＣアダプタ４０６とバッテリ４０８から入力させ、バッテリ４０８の充電を禁止する。また制御部４０４は、表示装置４００の各構成に対して省電力モードでの動作を指示する。
【００５２】
現在の時間の電力使用率が９０％以上の場合、制御部４０４は、駆動電力をバッテリ４０８から入力させるとともに、バッテリ４０８の充電を禁止する。また制御部４０４は、表示装置４００の各構成に対して省電力モードでの動作を指示する。
【００５３】
なお図４において制御の変化点となっている電力使用率はあくまで例であり、表示装置４００は、現在の時間における電力使用率の予測値が、少なくとも所定の値を上回っているか否かに応じて制御を切り替えればよい。
【００５４】
なお携帯端末３００は、現在の時間の電力使用率に応じて、図４に示した制御を表示装置４００に行わせるための制御コマンドを送信してもよい。即ち携帯端末３００は、処理サーバ２００から電力使用量の予測値を含む電力情報を取得した場合、又は配信サーバ１００から取得した電力情報に基づいて電力使用量の予測値を算出した場合に、現在の時間における電力使用量の予測値を抽出し、抽出した予測値に応じた制御コマンドを生成し、表示装置４００に送信する。
【００５５】
図５は、表示装置４００が表示する通知画面の例である。画面Ｐ１０は、例えば現在の時間における電力使用量の予測値が所定の値を超えた場合に表示する画面の例である。この画面Ｐ１０では、通知メッセージＰ１１と、外部機器を制御するためのボタンＰ１２と、電力使用量予測値を示すゲージＰ１３とが表示される。ここでボタンＰ１２は、当該Ｐ１２に対するユーザ操作を受けることにより、表示装置４００に対してネットワーク経由で接続された外部機器を制御するためのボタンである。当該ボタン付近には外部機器名や当該外部機器の消費電力等が表示される。そして当該ボタンに対する操作入力を受けると、表示装置４００は、外部機器操作用の画面（不図示）を表示し、当該画面に対するユーザ操作に応じた制御コマンドを外部機器に送信する。
【００５６】
図６は、本実施形態に係る電源制御システムにおける処理フローの一例を示す図である。そして本フローは、例えば配信サーバ１００、処理サーバ２００及び表示装置４００により実行される。なお本フローでは、配信サーバ１００が公開する電力情報を処理サーバ２００が取得する場合の処理フロー例を中心に説明する。
【００５７】
まず処理サーバ２００の処理例を説明する。処理サーバ２００は、所定時刻になると（Ｓ６０１のＹｅｓ）、配信サーバ１００に電力情報要求を送信して電力情報を取得する（Ｓ６０２）。そして処理サーバ２００は、取得した過去の時間の電力使用量の実績値及び供給電力量に基づいて、現在の時間及び将来の時間についての電力使用量及び電力使用率の予測値を算出する（Ｓ６０３）。続いて処理サーバ２００は、算出した予測値の情報を含む電力情報を所定のフォーマットで生成する（Ｓ６０４）。なおここで処理サーバ２００は、例えば表示装置４００が対応する電力情報のフォーマットについての情報を予め取得し、当該フォーマットで電力情報を生成しても良い。あるいは処理サーバ２００は、表示装置４００が対応するフォーマットが分からない場合、同じデータ内容を含む、夫々フォーマットが異なる複数の電力情報を生成してもよい。
【００５８】
そして処理サーバ２００は、生成した電力情報を格納する（Ｓ６０５）。次に処理サーバ２００は、電力情報要求を表示装置４００から受信すると（Ｓ６０６）、自装置に格納された電力情報を表示装置４００に送信する（Ｓ６０７）。なおＳ６０６において処理サーバ２００は、表示装置４００の識別子の情報や当該表示装置４００が対応するフォーマットの情報を含む電力情報要求を受けてもよい。そして処理サーバ２００は、Ｓ６０７において、電力要求に含まれていた情報に応じたフォーマットの電力情報を送信してもよい。
【００５９】
次に表示装置４００の処理例を説明する。表示装置４００が電源ＯＮとなると（Ｓ６１０）、制御部４０４は、電力供給部４０５に対してバッテリ４０８からの駆動電力の入力を指示し、表示装置４００はバッテリ駆動する（Ｓ６１１）。そして表示装置４００は、自装置に設定された地域を確認する（Ｓ６１２）。なおここで表示装置４００は、例えばテレビ放送の受信設定等において自装置に設定された地域情報を参照・確認する。ここで表示装置４００は、自装置に設定された地域が、予め設定された地域である場合は以降の処理フローを実行し、設定地域外の場合は以降の処理を省略してもよい。
【００６０】
続いて表示装置４００は、電力情報要求を処理サーバ２００に送信する（Ｓ６１３）。ここで表示装置４００は、自装置の識別子の情報や自装置が対応するフォーマットの情報を含む電力情報要求を送信してもよい。そして表示装置４００は、電力情報を受信すると（Ｓ６１４）、当該電力情報に格納された、現在の時間に対応する電力使用率の情報を抽出する。そして制御部４０４は、当該電力使用率に応じた電源での駆動を電力供給部４０５に指示して、表示装置４００は、例えば図４に示したように当該電力使用率に応じた電源で駆動する（Ｓ６１５）。また制御部４０４は当該電力使用率に応じた動作モードでの動作を表示装置４００の各構成に指示する（Ｓ６１６）。
【００６１】
なお図６のフローでは、処理サーバ２００が電力情報を表示装置４００に送信するとして説明したが、処理サーバ２００は、後述する図８における携帯端末３００のよう制御コマンドを生成して表示装置４００に送信してもよい。この場合に処理サーバ２００は、図６のＳ６０４において制御コマンドを生成し、Ｓ６０７では電力情報要求に応答して当該コマンドを送信する。また処理サーバ２００は、Ｓ６０６において表示装置４００から制御コマンドの要求を受けて当該要求に対しＳ６０７で制御コマンドを応答送信してもよい。また表示装置４００は、Ｓ６１３において電力要求ではなく制御コマンドの要求を処理サーバ２００に送信し、受信した制御コマンドに応じて自装置の電源切替と動作モード切替を制御してもよい。
【００６２】
図７は、本実施形態に係る電源制御システムにおける処理フローの一例を示す図である。なお本フローでは、配信サーバ１００が公開する電力情報を表示装置４００が取得する場合の処理フロー例を中心に説明する。
【００６３】
表示装置４００が電源ＯＮとなると（Ｓ７０１）、制御部４０４は、電力供給部４０５に対してバッテリ４０８からの駆動電力の入力を指示し、表示装置４００はバッテリ駆動する（Ｓ７０２）。そして表示装置４００は、自装置に設定された地域を確認する（Ｓ７０３）。ここで表示装置４００は、例えばテレビ放送の受信設定等において自装置に設定された地域情報を参照・確認する（Ｓ７０３）。ここで表示装置４００は、自装置に設定された地域が、予め設定された地域である場合は以降の処理フローを実行し、設定地域外の場合は以降の処理を省略してもよい。
【００６４】
続いて表示装置４００は、電力情報要求を配信サーバ１００に送信する（Ｓ７０４）。そして表示装置４００は配信サーバ１００からの電力情報を受信すると（Ｓ７０５）、取得した電力情報に含まれる過去の時間の電力使用量の実績値、及び供給電力量に基づいて、現在の時間及び将来の時間についての電力使用量及び電力使用率の予測値を算出する（Ｓ７０６）。そして表示装置４００は、算出した電力使用率に応じた電源で駆動し（Ｓ７０７）、当該電力使用率に応じた動作モードで動作する（Ｓ７０８）。
【００６５】
そして表示装置４００は、電源ＯＦＦになっていない場合であって（Ｓ７０９のＮｏ）、所定時刻になると（Ｓ７１０のＹｅｓ）、Ｓ７０４の処理に戻って電力情報要求を送信し、Ｓ７０４−Ｓ７１０の処理を繰りかえす。そしてＳ７０９において電源ＯＦＦとなると（Ｓ７０９のＹｅｓ）、当該処理フローは完了する。
【００６６】
なお当該処理フローにおいて表示装置４００は、配信サーバ１００から電力情報が取得できない場合に処理サーバ２００から電力情報を取得してもよい。また表示装置４００は、配信サーバ１００から電力情報を取得できた場合であっても、当該電力情報のフォーマットが自装置に対応していない場合には処理サーバ２００から電力情報を取得してもよい。そしてこれらの場合に表示装置４００はＳ７０５の処理を省略してもよい。
【００６７】
図８は、本実施形態に係る電源制御システムにおける処理フローの一例を示す図である。そして本フローは、例えば配信サーバ１００、携帯端末３００及び表示装置４００により実行される。なお本フローでは、配信サーバ１００が公開する電力情報を携帯端末３００が取得する場合の処理フロー例を中心に説明する。
【００６８】
まず携帯端末３００の処理例を説明する。まず携帯端末３００は、操作受付部３０１に対して所定のユーザ操作を受けると（Ｓ８０１）、電力情報要求を配信サーバ１００に送信し、電力情報を取得する（Ｓ８０２）。携帯端末３００は、取得した電力情報に含まれる過去の時間の電力使用量の実績値、及び供給電力量に基づいて、現在の時間及び将来の時間についての電力使用量及び電力使用率の予測値を算出する（Ｓ８０３）。
【００６９】
そして携帯端末３００は、現在の時間における電力使用率の予測値に応じた、表示装置４００を制御するための制御コマンドを生成する（Ｓ８０４）。なおここで携帯端末３００が生成する制御コマンドは、現在の時間における電力使用率の予測値に対して、例えば図４に示した制御を表示装置４００に行われるためのものである。そして携帯端末３００は生成したコマンドを表示装置４００にホームネットワーク４００経由で送信する（Ｓ８０５）。なお、携帯端末３００および表示装置４００が赤外線通信等の１対１の通信に対応している場合、携帯端末３００は制御コマンドを当該通信により送信してもよい。
【００７０】
続いて表示装置４００の処理例を説明する。表示装置４００は、携帯端末３００からのコマンドを受信すると（Ｓ８１０）、当該コマンドが指示する電源で駆動し（Ｓ８１１）、また、当該コマンドが指示する動作モードで動作する（Ｓ８１２）。
【００７１】
なお、本フローにおいて携帯端末３００は、処理サーバ２００から電力情報を取得してもよい。そしてこの場合に携帯端末はＳ８０３の処理を省略してもよい。
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００７２】
１００…配信サーバ、１０１…入力部、１０２…記憶部、１０３…通信部、２００…処理サーバ、２０１…通信部、２０２…記憶部、２０３…処理部、３００…携帯端末、３０１…操作受付部、３０２…通信部、３０３…記憶部、３０４…処理部、４００…表示装置、４０１…通信部、４０２…記憶部、４０３…処理部、４０４…制御部、４０５…電力供給部、４０６…ＡＣアダプタ、４０７…プラグ、４０８…バッテリ、４０９…チューナ、４１０…デコード部、４１１…ＧＵＩ生成部、４１２…信号処理部、４１３…表示部、４１４…バックライト
【図１】
0005162008.tif 000002
【図２】
0005162008.tif 000003
【図３】
0005162008.tif 000004
【図４】
0005162008.tif 000005
【図５】
0005162008.tif 000006
【図６】
0005162008.tif 000007
【図７】
0005162008.tif 000008
【図８】
0005162008.tif 000009